(57)【要約】      （修正有）【課題】無線ＬＡＮで携帯電話機と通信するコントローラで、携帯電話機の画面を大画面表示装置と大面積の入力デバイスで視聴及び操作できるようにすること。【解決手段】携帯電話機の画像を無線ＬＡＮで通信が可能な携帯電話機よりも表示面積が大きな画像表示装置と、携帯電話機よりも面積が大きな入力デバイスとスピーカーを備えたコントローラで画像表示しながら、大画面モニターを見ながら携帯電話機の操作をする。【選択図】図１
2018014068.tif 000002
【特許請求の範囲】
【請求項１】
携帯電話機に無産ｌＡＮで接続されるコントローラであって、携帯電話機の映像信号と音声信号を再生する機能を備え、携帯電話機よりも表示面積が大きな画像表示装置と携帯電話機よりも面積が大きな入力デバイスを備えることを特徴とする携帯電話機のコントローラ。
【請求項２】
３個以上の無線ＬＡＮチップを備える携帯電話機に、無線ＬＡＮで接続されるコントローラであって、携帯電話機の映像信号と音声信号を再生する機能を備え、携帯電話機よりも表示面積が大きな画像表示装置と携帯電話機よりも面積が大きな入力デバイスを備えることを特徴とする携帯電話機のコントローラ。
【請求項３】
前記コントローラの入力デバイスがタッチパネルであることを特徴とする請求項１、請求項２に記載の携帯電話機のコントローラ。
【請求項４】
前記コントローラの入力デバイスがキーボードとタッチパッドよりなることを特徴とする請求項１、請求項２に記載の携帯電話機のコントローラ。
【請求項５】
前記のコントローラの画像表示装置及び入力デバイスの面積が携帯電話機の画像表示装置及び入力デバイスの面積の２倍以上であることを特徴とする請求項１、請求項２、請求項３、請求項４に記載の携帯電話のコントローラ
【発明の詳細な説明】
【技術分野】
【０００１】本発明は、携帯電話機の操作を無線ＬＡＭで接続したコントローラで操作する技術に関する。
【背景技術】
【０００２】従来の携帯電話機のコントローラでは、有線で携帯電話機とコントローラを接続して、携帯電話機をコントロールものが提案されており、操作性が煩雑である上に、携帯電話機に表示されている画面の入力画面をコントローラから直接操作する機能が備わっていなかったために操作性にも問題があった。
【特許文献１】特開２００８−１８２３３１号公報
【発明の開示】
【発明が解決しようとする課題】
【０００３】従来、携帯電話機の画面を操作する場合、携帯電話機の小さな画面を見ながら、タッチパネルで入力していたので、文字が小さくて見えにくい上に、小さな文字を入力する操作では、タッチパネルの分解能が低くて、正確に文字を入力することが困難であった。【０００４】さらに、携帯電話機の機能が向上したため、従来のパーソナルコンピュータを超える性能を保有しているにもかかわらず、パーソナルコンピュータと同じ操作性で記録データの編集作業をすることが難しく、報告書の作成や数値計算やコンピュータグラフィックスの作製には活用することができなかった。【０００５】本発明は、以上に説明した問題点を解決するためになされたものである。その目的は、携帯電話の操作性を飛躍的に向上させて、タブレット型パーソナルコンピュータやノートブック型パーソナルコンピュータと同じ利便性を携帯電話機に付与することである。【０００６】
【課題を解決するための手段】
【０００７】本発明は、携帯電話機に無線ＬＡＮで接続されるコントローラに関するものであって、携帯電話機の画面に表示されている画像や音声を携帯電話機よりも表示面積が大きな表示装置で再生する機能と、携帯電話機に表示されている画面上に文字や記号を携帯電話機よりも面積が大きな入力デバイスで入力する入力機能とを備え、携帯電話機と無線ＬＡＮで通信しながら操作できるコントローラを提供するものである。
【発明の効果】
【０００８】  本発明によれば、携帯電話機への文字入力等の操作が容易になり、携帯電話機をタブレット型パーソナルコンピュータやノートブック型パーソナルコンピュータと同様な利便性を携帯電話機に付与することを可能にするものである。
【発明を実施するための形態】
【０００９】以下、本発明の実施の形態を図面を参照して詳細に説明する。
【００１０】図１は、本発明の第１の実施形態を示す図である。携帯電話機よりも表示面積が大きな画像表示装置と携帯電話機よりも面積が大きなタッチパネルを備えるタブレット型のコントローラが無線ＬＡＮで携帯電話機より受信した映像信号、音声信号を再生して、タッチパネルの入力信号をコントローラから携帯電話機に送信することで、携帯電話機を操作する構成となっている。
【００１１】コントローラの画像表示装置の面積は、携帯電話機の画像表示装置の面積の２倍以上であることが望ましい。２倍以下の画像表示装置では、入力デバイスの面積も２倍以下になってしまうために、文字入力等のコントローラの操作性が著しく低下してしまう。例えば、５インチサイズの画像表示装置を備えた携帯電話機の場合、コントローラの画像表示装置及び入力デバイスのサイズは１０インチ以上であることが望ましい。
【００１２】図２は、本発明の第２の実施形態を示す図である。携帯電話機よりも表示面積が大きな画像表示装置と携帯電話機よりも面積が大きなキーボード式の入力デバイスを備えているノートブック型のコントローラが携帯電話機より無線ＬＡＮで受信した映像信号、音声信号を再生して、キーボードで入力した信号を携帯電話機に送信することで、携帯電話機を操作する構成となっている。
【００１３】図１と図２に示すコントローラは、それぞれ携帯電話機を充電するためのＵＳＢポートを備えていて、携帯電話機を充電する機能も備えている。
【００１４】  図３は、本発明のコントローラのハードウェア構成を示したものである。コントローラの機能を制御するアプリケーションプロセッサを中心に、バッテリー電源、オーディオＬＳＩ、ディスプレイ、カメラ、入力デバイス、フラッシュメモリ、ＤＲＡＭ、各種のセンサ類で構成されている。
【００１５】各種のセンサ類の一つは、コントローラの上下左右の向きを検知するためのもので、例えばコントローラの向きを縦長の画面で映像を見る場合と、横長の画面で映像を見る場合とで、表示映像を切り替える時に使用する。
【００１６】コントローラのアプリケーションプロセッサは、携帯電話機から受信した映像信号、音声信号を再生する機能とコントローラのタッチパネルの入力情報を携帯電話機に送信する機能とに、主として用いられ、ゲーム映像の３次元コンピュータグラフィックスの信号処理機能等の負荷の高い信号処理は、携帯電話機のアプリケーションプロセッサが行うので、携帯電話機のアプリケーションプロセッサよりも低機能なアプリケーションプロセッサを使用することが可能で、コントローラの低価格化が可能となる。
【００１７】  写真やビデオ映像のような情報量の大きなデータは、携帯電話機のフラッシュメモリに記録されるので、コントローラのフラッシュメモリは、コントローラを制御するためのＯＳソフトウェア等の小容量のデータを格納できる容量があれば、十分である。
【００１８】携帯電話機とコントローラには、互いが通信可能となるように、携帯電話機とコントローラの関係を認証するためのソフトウェアプログラムが必要である。
【００１９】本発明のコントローラで携帯電話機を操作できるようにするためには、携帯電話機が映像・音声信号を無線ＬＡＮから送信する機能を備えていることと、携帯電話機がコントローラから送信された入力情報を携帯電話機の入力情報に変換する機能を備えていることが必要である。
【００２０】図４は、無線ＬＡＮチップを３個以上搭載する携帯電話機とノートブック型コントローラを用いて、ＷｉＦｉルーター経由で携帯電話機が取得した映像をノートブック型コントローラに表示させながら、携帯電話機を操作する場合の構成である。
【００２１】本発明の携帯電話機のコントローラおよび前記の無線ＬＡＮを３個以上搭載する携帯電話機の無線ＬＡＮの規格は、ＩＥＥＥ８０２．１１ａ、ＩＥＥＥ８０２１１ｂ、ＩＥＥＥ８０２．１１ｃ、ＩＥＥＥ８０２．１１ｄ、ＩＥＥＥ８０２．１１ｅ、ＩＥＥＥ８０２．１１ｆ、ＩＥＥＥ８０２．１１ｇ、ＩＥＥＥ８０２．１１ｈ、ＩＥＥＥ８０２．１１ｈ、ＩＥＥＥ８０２．１１ｉ、ＩＥＥＥ８０２．１１ｊ、ＩＥＥＥ８０２．１１ｎ、ＩＥＥＥ８０２．１１ａｃ、ＩＥＥＥ８０２．１１ａｄ、ＩＥＥＥ８０２．１５．１のいずれかであれば良い。
【００２２】したがって、前記の無線ＬＡＮチップを３個以上搭載する携帯電話機をコントローラで操作する場合、携帯電話機とコントローラとの通信は、Ｂｌｕｅｔｏｏｔｈ（ＩＥＥＥ８０２．１５１）で行い、携帯電話機と無線ルーターとの通信はＷｉＦｉ（ＩＥＥＥ８０２．１１）で行う構成であっても良い。
本形態は、あくまでも実施例の一つであり、使用される無線ＬＡＮの規格をこれに限定するものではない。
【００２３】また前記の無線ＬＡＮチップを３個以上搭載する携帯電話機をコントローラで操作する場合、携帯電話機とコントローラとの通信は、ＩＥＥＥ８０２．１１ｇで行い、携帯電話機と無線ルーターとの通信もＩＥＥＥ８０２．１１ｇで行う構成であっても良い。本形態は、あくまでも実施例の一つであり、使用される無線ＬＡＮの規格をこれに限定するものではない。
【００２４】本発明の実施例により、携帯電話機を携帯電話機よりも表示面積が大きな画像表示装置と携帯電話機よりも面積が大きな入力デバイスを備えたコントローラで操作することにより、携帯電話機単体では発現しなかったような利便性を提供することが可能になり、携帯電話機を、従来、パーソナルコンピュータで行われていた、報告書の作成、数値計算、３次元コンピュータグラフィックスの作製等の高度な演算処理に活用するスマートコンピューティングを可能にするものである。
【００２５】本発明の実施例により、携帯電話機をパーソナルコンピュータと同じ利便性で活用することにより、より低消費電力のアプリケーションプロセッサを活用した高度な演算処理が行えるようになるので、地球規模での省エネルギーにも寄与することが可能になる。
【００２６】なお、上述する各実施の形態は、本発明の好適な実施の形態であり、本発明の要旨を逸脱しない範囲において種々変更実施が可能である。
【図面の簡単な説明】
【００２７】
【図１】本発明の実施携帯の携帯電話機のコントローラと携帯電話機である。
【図２】本発明の実施携帯の携帯電話機のコントローラと携帯電話機である。
【図３】本発明の実施形態のコントローラのハードウェアの内部構成である。
【図４】本発明の実施携帯のコントローラと携帯電話機と無線ルーターで構成されるシステムの構成図である。
【符号の説明】
【００２８】１コントローラ
２携帯電話機
３ＵＳＢポート
４アプリケーションプロセッサ
５電源・オーディオＬＳＩ
６無線ＬＡＮ
７ディスプレイ
８カメラ
９入力デバイス
１０センサー類
１１フラッシュメモリ
１２ＤＲＡＭ
１３無線ルーター
【図１】
2018014068.tif 000003
【図２】
2018014068.tif 000004
【図３】
2018014068.tif 000005
【図４】
2018014068.tif 000006